【手続補正書】
【提出日】平成24年8月1日(2012.8.1)
【手続補正１】
【補正対象書類名】特許請求の範囲
【補正対象項目名】全文
【補正方法】変更
【補正の内容】
【特許請求の範囲】
【請求項１】
ウェブ会議を開催する処理を行うサーバと、ウェブ会議の参加者が操作する情報処理装置とがネットワークを介して接続されるウェブ会議システムであって、
前記サーバは、
ウェブ会議で利用される、データの送受信を行う複数の通信回線それぞれの回線品質に関する定義がなされた設定ファイルを登録する第一の登録手段と、
ウェブ会議で用いられる仮想的な会議室であるルームに対して適用すべき前記第一の登録手段により登録された前記設定ファイルを登録する第二の登録手段と、
前記第二の登録手段により前記設定ファイルが登録された前記仮想的な会議室であるルームが用いられるウェブ会議に対して、当該ウェブ会議の参加者が操作する情報処理装置からのウェブ会議への参加要求に従って、ウェブ会議の画面情報と、当該ウェブ会議で用いられるルームに対して登録された前記設定ファイルとを送信する送信手段とを有し、
前記情報処理装置は、
ウェブ会議の参加者の操作に従って、ウェブ会議への参加要求を行う参加要求手段と、
前記送信手段により送信される、前記ウェブ会議の画面情報と、前記設定ファイルとを受信する受信手段と、
前記受信手段により受信された設定ファイルを用いて、前記ウェブ会議で利用されるデータの送受信を行う複数の通信回線それぞれの回線品質を調整する制御を行う制御手段と
を有することを特徴とするウェブ会議システム。
【請求項２】
前記サーバは、
所定のイベントであって、前記ウェブ会議で利用されるデータの送受信を行う複数の通信回線それぞれの回線品質を調整すべきイベントを検知する検知手段と、
前記検知手段により前記イベントが検知されたことに応じて、ウェブ会議に参加している情報処理装置に対して当該イベントを通知する通知手段とを有し、
前記情報処理装置は、
前記通知手段により通知された前記イベントを取得するイベント取得手段を有し、
前記制御手段は、前記イベント取得手段により取得されたイベントに応じて、前記受信手段により受信された設定ファイルを用いて、前記ウェブ会議で利用されるデータの送受信を行う複数の通信回線それぞれの回線品質を調整する制御を行うことを特徴とする請求項１に記載のウェブ会議システム。
【請求項３】
前記検出手段が検出する回線品質を調整すべきイベントは、前記ウェブ会議への参加者の数が増加もしくは減少したとのイベントであることを特徴とする請求項２に記載のウェブ会議システム。
【請求項４】
前記検出手段が検出する通信品質を調整すべきイベントは、前記ウェブ会議に参加している参加者が操作する情報処理装置の間でアプリケーションの共有が開始もしくは終了したとのイベントであることを特徴とする請求項２または３に記載のウェブ会議システム。
【請求項５】
議長のみが発言可能な議長モードでのウェブ会議において、
前記検出手段が検出する通信品質を調整すべきイベントは、前記ウェブ会議に参加している議長以外の参加者への発言を許可する旨のイベントであることを特徴とする請求項２ないし４のいずれか１項に記載のウェブ会議システム。
【請求項６】
議長のみが発言可能な議長モードでのウェブ会議において、
前記検出手段が検出する通信品質を調整すべきイベントは、前記ウェブ会議に参加している議長が他の参加者に交代する旨のイベントであることを特徴とする請求項２ないし５のいずれか１項に記載のウェブ会議システム。
【請求項７】
前記検出手段が検出する通信品質を調整すべきイベントは、前記ウェブ会議を傍聴している傍聴者が当該ウェブ会議に参加する旨のイベントであることを特徴とする請求項２ないし６のいずれか１項に記載のウェブ会議システム。
【請求項８】
前記検出手段が検出する通信品質を調整すべきイベントは、前記ウェブ会議に参加している参加者が操作する情報処理装置に表示されるウィンドウサイズが変更した旨のイベントであることを特徴とする請求項２ないし７のいずれか１項に記載のウェブ会議システム。
【請求項９】
所定の参加者の発言が制限されるウェブ会議において、
前記検出手段が検出する通信品質を調整すべきイベントは、前記ウェブ会議に参加している発言が制限されている参加者が発言可能となったとの旨のイベントであることを特徴とする請求項２ないし８のいずれか１項に記載のウェブ会議システム。
【請求項１０】
前記制御手段は、前記ウェブ会議で利用されるデータの送受信を行う複数の通信回線のうち、映像、アプリケーション、音声の順に品質を落とすことにより回線品質を調整することを特徴とする請求項１乃至９のいずれか１項に記載のウェブ会議システム。
【請求項１１】
ウェブ会議を開催する処理を行うサーバと、ウェブ会議の参加者が操作する情報処理装置とがネットワークを介して接続されるウェブ会議システムにおける制御方法であって、
前記サーバは、
ウェブ会議で利用される、データの送受信を行う複数の通信回線それぞれの回線品質に関する定義がなされた設定ファイルを登録する第一の登録ステップと、
ウェブ会議で用いられる仮想的な会議室であるルームに対して適用すべき前記第一の登録ステップにより登録された前記設定ファイルを登録する第二の登録ステップと、
前記第二の登録ステップにより前記設定ファイルが登録された前記仮想的な会議室であるルームが用いられるウェブ会議に対して、当該ウェブ会議の参加者が操作する情報処理装置からのウェブ会議への参加要求に従って、ウェブ会議の画面情報と、当該ウェブ会議で用いられるルームに対して登録された前記設定ファイルとを送信する送信ステップとを含み、
前記情報処理装置は、
ウェブ会議の参加者の操作に従って、ウェブ会議への参加要求を行う参加要求ステップと、
前記送信ステップにより送信される、前記ウェブ会議の画面情報と、前記設定ファイルとを受信する受信ステップと、
前記受信ステップにより受信された設定ファイルを用いて、前記ウェブ会議で利用されるデータの送受信を行う複数の通信回線それぞれの回線品質を調整する制御を行う制御ステップと
を含むことを特徴とする制御方法。
【請求項１２】
ウェブ会議を開催する処理を行うサーバと、ウェブ会議の参加者が操作する情報処理装置とがネットワークを介して接続されるウェブ会議システムにおいて実行可能なプログラムであって、
前記サーバを、
ウェブ会議で利用される、データの送受信を行う複数の通信回線それぞれの回線品質に関する定義がなされた設定ファイルを登録する第一の登録手段、
ウェブ会議で用いられる仮想的な会議室であるルームに対して適用すべき前記第一の登録手段により登録された前記設定ファイルを登録する第二の登録手段、
前記第二の登録手段により前記設定ファイルが登録された前記仮想的な会議室であるルームが用いられるウェブ会議に対して、当該ウェブ会議の参加者が操作する情報処理装置からのウェブ会議への参加要求に従って、ウェブ会議の画面情報と、当該ウェブ会議で用いられるルームに対して登録された前記設定ファイルとを送信する送信手段として機能させ、
前記情報処理装置を、
ウェブ会議の参加者の操作に従って、ウェブ会議への参加要求を行う参加要求手段、
前記送信手段により送信される、前記ウェブ会議の画面情報と、前記設定ファイルとを受信する受信手段、
前記受信手段により受信された設定ファイルを用いて、前記ウェブ会議で利用されるデータの送受信を行う複数の通信回線それぞれの回線品質を調整する制御を行う制御手段として機能させることを特徴とするプログラム。
【請求項１３】
ウェブ会議で利用される、データの送受信を行う複数の通信回線それぞれの回線品質に関する定義がなされた設定ファイルを登録する第一の登録手段と、ウェブ会議で用いられる仮想的な会議室であるルームに対して適用すべき前記第一の登録手段により登録された前記設定ファイルを登録する第二の登録手段と、前記第二の登録手段により前記設定ファイルが登録された前記仮想的な会議室であるルームが用いられるウェブ会議に対して、当該ウェブ会議の参加者が操作する情報処理装置からのウェブ会議への参加要求に従って、ウェブ会議の画面情報と、当該ウェブ会議で用いられるルームに対して登録された前記設定ファイルとを送信する送信手段とを有するウェブ会議を開催する処理を行うサーバと通信可能な、ウェブ会議の参加者が操作する情報処理装置であって、
ウェブ会議の参加者の操作に従って、ウェブ会議への参加要求を行う参加要求手段と、
前記送信手段により送信される、前記ウェブ会議の画面情報と、前記設定ファイルとを受信する受信手段と、
前記受信手段により受信された設定ファイルを用いて、前記ウェブ会議で利用されるデータの送受信を行う複数の通信回線それぞれの回線品質を調整する制御を行う制御手段と
を有することを特徴とする情報処理装置。
【請求項１４】
ウェブ会議で利用される、データの送受信を行う複数の通信回線それぞれの回線品質に関する定義がなされた設定ファイルを登録する第一の登録手段と、ウェブ会議で用いられる仮想的な会議室であるルームに対して適用すべき前記第一の登録手段により登録された前記設定ファイルを登録する第二の登録手段と、前記第二の登録手段により前記設定ファイルが登録された前記仮想的な会議室であるルームが用いられるウェブ会議に対して、当該ウェブ会議の参加者が操作する情報処理装置からのウェブ会議への参加要求に従って、ウェブ会議の画面情報と、当該ウェブ会議で用いられるルームに対して登録された前記設定ファイルとを送信する送信手段とを有するウェブ会議を開催する処理を行うサーバと通信可能な、ウェブ会議の参加者が操作する情報処理装置における制御方法であって、
ウェブ会議の参加者の操作に従って、ウェブ会議への参加要求を行う参加要求ステップと、
前記送信手段により送信される、前記ウェブ会議の画面情報と、前記設定ファイルとを受信する受信ステップと、
前記受信ステップにより受信された設定ファイルを用いて、前記ウェブ会議で利用されるデータの送受信を行う複数の通信回線それぞれの回線品質を調整する制御を行う制御ステップと
を含むことを特徴とする制御方法。
【請求項１５】
ウェブ会議で利用される、データの送受信を行う複数の通信回線それぞれの回線品質に関する定義がなされた設定ファイルを登録する第一の登録手段と、ウェブ会議で用いられる仮想的な会議室であるルームに対して適用すべき前記第一の登録手段により登録された前記設定ファイルを登録する第二の登録手段と、前記第二の登録手段により前記設定ファイルが登録された前記仮想的な会議室であるルームが用いられるウェブ会議に対して、当該ウェブ会議の参加者が操作する情報処理装置からのウェブ会議への参加要求に従って、ウェブ会議の画面情報と、当該ウェブ会議で用いられるルームに対して登録された前記設定ファイルとを送信する送信手段とを有するウェブ会議を開催する処理を行うサーバと通信可能な、ウェブ会議の参加者が操作する情報処理装置において実行可能なプログラムであって、
ウェブ会議の参加者の操作に従って、ウェブ会議への参加要求を行う参加要求手段、
前記送信手段により送信される、前記ウェブ会議の画面情報と、前記設定ファイルとを受信する受信手段、
前記受信手段により受信された設定ファイルを用いて、前記ウェブ会議で利用されるデータの送受信を行う複数の通信回線それぞれの回線品質を調整する制御を行う制御手段
として前記情報処理装置を機能させることを特徴とするプログラム。
【手続補正２】
【補正対象書類名】明細書
【補正対象項目名】０００９
【補正方法】変更
【補正の内容】
【０００９】
そこで、本願発明は上記課題を解決するものであり、ウェブ会議で用いられる仮想的な会議室であるルームに対して適用すべき設定ファイルを設定して、ウェブ会議で利用されるデータの送受信を行う複数の通信回線それぞれの回線品質を調整することを可能とする。
【手続補正３】
【補正対象書類名】明細書
【補正対象項目名】００１０
【補正方法】変更
【補正の内容】
【００１０】
本発明は、ウェブ会議を開催する処理を行うサーバと、ウェブ会議の参加者が操作する情報処理装置とがネットワークを介して接続されるウェブ会議システムであって、前記サーバは、ウェブ会議で利用される、データの送受信を行う複数の通信回線それぞれの回線品質に関する定義がなされた設定ファイルを登録する第一の登録手段と、ウェブ会議で用いられる仮想的な会議室であるルームに対して適用すべき前記第一の登録手段により登録された前記設定ファイルを登録する第二の登録手段と、前記第二の登録手段により前記設定ファイルが登録された前記仮想的な会議室であるルームが用いられるウェブ会議に対して、当該ウェブ会議の参加者が操作する情報処理装置からのウェブ会議への参加要求に従って、ウェブ会議の画面情報と、当該ウェブ会議で用いられるルームに対して登録された前記設定ファイルとを送信する送信手段とを有し、前記情報処理装置は、ウェブ会議の参加者の操作に従って、ウェブ会議への参加要求を行う参加要求手段と、前記送信手段により送信される、前記ウェブ会議の画面情報と、前記設定ファイルとを受信する受信手段と、前記受信手段により受信された設定ファイルを用いて、前記ウェブ会議で利用されるデータの送受信を行う複数の通信回線それぞれの回線品質を調整する制御を行う制御手段とを有することを特徴とする。
【手続補正４】
【補正対象書類名】明細書
【補正対象項目名】００１１
【補正方法】変更
【補正の内容】
【００１１】
本発明によれば、ウェブ会議で用いられる仮想的な会議室であるルームに対して適用すべき設定ファイルを設定して、ウェブ会議で利用されるデータの送受信を行う複数の通信回線それぞれの回線品質を調整することが可能となる。